(57)【要約】【課題】本発明の目的は、集積性が高く、またテント底面形状の変更できる骨組みの連結部材およびそれを用いたテントを提供することにある。【解決手段】複数の骨組みを連結してなるテントに用いる骨組みの連結部材（１１）は、骨組みを接合する骨組接合部（１１ａ）と、テントに用い、他の骨組みが接合された連結部材に接合させる連結部材接合部（１１ｂ）と、前記テントとは別のテントに用いる連結部材に接合させる連結部材接合部（１４、１１ｄ）とを備えている。【選択図】図１
2020133368.tif 000002
【特許請求の範囲】
【請求項１】
複数の骨組みを連結してなるテントに用いる骨組みの連結部材であって、
骨組みを接合する骨組接合部と、
前記テントに用い、他の骨組みが接合された連結部材に接合させる第一の連結部材接合部と、
前記テントとは別のテントに用いる連結部材に接合させる第二の連結部材接合部と、を備えている、テントに用いる骨組みの連結部材。
【請求項２】
ピンを備え、
前記第一の連結部材接合部は、貫通孔で構成され、
前記第一の連結部材接合部の前記貫通孔と他の前記連結部材の前記第一の連結部材接合部の前記貫通孔とを合せ、前記ピンを挿入し固定することで、前記連結部材同士が連結される、請求項１に記載のテントに用いる骨組みの連結部材。
【請求項３】
前記ピンは、地面にテントを設置するための設置部を有している、請求項２に記載のテントに用いる骨組みの連結部材。
【請求項４】
前記貫通孔の開口面は、円形または正多角形で構成される、請求項２または請求項３に記載のテントに用いる骨組みの連結部材。
【請求項５】
請求項１乃至請求項４のいずれか一項に記載のテントに用いる骨組みの連結部材を用いたテント。
【発明の詳細な説明】
【技術分野】
【０００１】
本発明は、連結部材およびそれを用いたテントに関する。
【背景技術】
【０００２】
２０１１年の東日本大震災では東北を中心に甚大な被害をもたらし、多くの被災者が避難生活を余儀なくされた。しかし、体育館や公民館などの避難所のスペースには限りが有り、すべての避難者を収容することはできない。そこで、建物外において収容性能が高いテントを設置することで、このような問題を解決できると考えた。
【先行技術文献】
【特許文献】
【０００３】
【特許文献１】特開２０１５−１０４６５号公報
【特許文献２】特開平０８−１９９８５６号公報
【特許文献３】特開平１０−１０２８２８号公報
【発明の概要】
【発明が解決しようとする課題】
【０００４】
しかし、従来のテントは、集積性が低く、限られた空間を有効に活用することが困難である。また、テントの形状を変更することが容易でなく、収容人数に応じて大きさを変えることができない。
【０００５】
本発明の目的は、集積性が高く、またテント底面形状を変更できる骨組みの連結部材およびそれを用いたテントを提供することにある。
【課題を解決するための手段】
【０００６】
上記目的は、複数の骨組みを連結してなるテントに用いる骨組みの連結部材（１１）であって、骨組みを接合する骨組接合部（１１ａ）と、前記テントに用い、他の骨組みが接合された連結部材に接合させる第一の連結部材接合部（１１ｂ）と、前記テントとは別のテントに用いる連結部材に接合させる第二の連結部材接合部（１４、１１ｄ）と、を備えている、テントに用いる骨組みの連結部材（１１）、によって達成される。
【０００７】
また、上記目的は、ピン（２１）を備え、前記第一の連結部材接合部（１１ｂ）は、貫通孔で構成され、前記第一の連結部材接合部の前記貫通孔と他の前記連結部材の前記第一の連結部材接合部の前記貫通孔とを合せ、前記ピンを挿入し固定することで、前記連結部材同士が連結される、上記のテントに用いる骨組みの連結部材（１１）、によっても達成される。
【０００８】
また、上記目的は、前記ピン（２１）は、地面にテントを設置するための設置部を有している、上記のテントに用いる骨組みの連結部材（１１）、によっても達成される。
【０００９】
また、上記目的は、前記貫通孔の開口面は、円形または正多角形で構成される、上記のテントに用いる骨組みの連結部材（１１）、によっても達成される。
【００１０】
また、上記目的は、上記のテントに用いる骨組みの連結部材を用いたテント（１ａ）、によっても達成される。
【発明の効果】
【００１１】
本発明によれば、集積性が高く、またテント底面形状の変更できる骨組みの連結部材およびそれを用いたテントを提供することが実現できる。
【図面の簡単な説明】
【００１２】
【図１】本発明の実施形態による連結部材１１およびそれを用いたテント１ａを説明する斜視図である。
【図２】本発明の実施形態による連結部材１１および連結部材１２を説明する図である。
【図３】本発明の実施形態による、連結部材１１、連結部材１２、骨組み１３および連結部材接続ピン１４からなる構造体１５を説明する図である。
【図４】本発明の実施形態による連結部材１１、連結部材１２および連結部材固定ピン２１を説明する図である。
【図５】本発明の実施形態によるポール３１およびポール連結部材３２を説明する図である。
【図６】本発明の実施形態による複数個の構造体１５および連結部材固定ピン２１からなる構造形態２２ａを説明する図である。
【図７】本発明の実施形態による複数個の構造形態２２ａを連結した場合を説明する図である。
【図８】本発明の他の実施形態による複数個の構造体１５および連結部材固定ピン２１からなる構造形態２２ｂを説明する図である。
【発明を実施するための形態】
【００１３】
以下、図１〜８を用いて、本発明の実施形態による連結部材およびそれを用いたテントを説明する。図１に示すように、本発明の実施形態によるテント１ａは、連結部材１１、連結部材１２、骨組み１３、連結部材接続ピン１４、連結部材固定ピン２１、ポール３１、ポール連結部材３２からなる。
【００１４】
図２および図３を用いて、本発明の実施形態によるテント１ａに含まれる連結部材１１、連結部材１２、骨組み１３および連結部材接続ピン１４を説明する。連結部材１１を図２ａに示す。連結部材１１は、上心半円アーチ形状を平面の基本形とする、段付きの部材である。段付き部には、連結部材固定用ピン２１を通すための、半円アーチと同心の貫通孔１１ｂが空いている。連結部材１１の円弧の反対側の側面には、骨組み１３を接続するための穴１１ａが空いている。また、連結部材１１の側面には、連結部材接続ピン１４を取り付けるためのネジ穴１１ｃ、連結部材接続ピン１４を接続するための穴１１ｄが空いている。
【００１５】
連結部材１２を図２ｂに示す。連結部材１２は、連結部材１１と同様の構造を有するが、連結部材接続ピン１４を取り付けるためのネジ穴１２ｃ、連結部材接続ピン１４を接続するための穴１２ｄは、それぞれ連結部材１１とは反対側に空いている。
【００１６】
骨組み１３は、両側段付きの棒材である。段付き部は連結部材１１および連結部材１２それぞれの穴１１ａ、１２ａに接続する。なお、骨組み１３は任意の長さのものを用いることで、テント１の底面の大きさを変更することが可能である。
【００１７】
連結部材接続ピン１４は、連結部材１１および連結部材１２それぞれの穴１１ｄ、１２ｄと同様の形状を有する棒材であり、片側にネジが切られている。そのおねじは、連結部材１１および連結部材１２それぞれのネジ穴１１ｃ、１２ｃに入れることができる。なお、連結部材接続ピン１４について、棒材にめねじを有する構造とし、すりわり付き止めねじを用いて連結部材１１および連結部材１２それぞれのネジ穴１１ｃ、１２ｃと結合してもよい。
【００１８】
連結部材１１、連結部材１２、骨組み１３、連結部材接続ピン１４からなる構造体１５を図３に示す。
【００１９】
連結部材１１および１２は、段付き部が上下互い違いの状態で骨組み１３に接続される。このとき、構造体１５の側面には、連結部材接続ピン１４および当該ピンを入れる穴（１１ｄあるいは１２ｄ）の対が生成される。これにより、ある一つの構造体１５を、別の構造体１５と結合することが可能となる。
【００２０】
図４を用いて、本発明の実施形態による連結部材１１、連結部材１２および連結部材固定ピン２１を説明する。
【００２１】
連結部材固定ピン２１は、段付きの円筒部材である。鉛直上面には、ポール３１を接続する穴を有する。当該ピンの段付き部２１ｂは、連結部材１１および連結部材１２に空いた貫通孔（１１ｂ、１２ｂ）へ挿入される。また当該ピンの段付き部２１ｂはテーパを有し、地面に連結部材１１および連結部材１２を固定できる。さらに連結部材固定ピン２１は、連結部材１１および連結部材１２（二つの構造体１５どうし）の回転中心として機能する。これにより、構造体１５を任意の回転角度で設置することが可能となる。なお、連結部材固定ピン２１は、地面と接触する部分の径が大きい段付き形状とし、硬い地面（コンクリート等）上にも設置できるようにしてもよい。
【００２２】
図５を用いて、ポール３１およびポール連結部材３２を説明する。
【００２３】
ポール３１は、機械的強度に優れ、かつ軽量の材料（例えば、カーボンファイバ等が好適）で形成され、一本、あるいは多段かつ長さが調整できる部材である。片方の先端は連結部材固定ピン２１の穴２１ａに接続され、一方は、ポール連結部材３２に空いた穴３２ａへ接続される。
【００２４】
ポール連結部材３２は、複数のポール３１を連結する穴３２ａを有する。ポール連結部材の穴３２ａは等間隔に円形配置され、構造体１５の接続状況に応じて、ポール３１を接続する穴３２ａを選択できる。
【００２５】
図６、７および８を用いて、本発明の実施形態による構造体１５および連結部材固定ピン２１からなる構造形態２２ａ、および別の実施形態による構造形態２２ｂを説明する。
【００２６】
構造体１５は連結部固定ピン２１により結合され、また構造体１５のなす角度を任意に調整でき、構造体１５を複数個用いて多角形を形成できる。図６に示すのは、構造体１５のなす角度を６０度とし、三つの構造体１５および三つの連結部固定ピン２１を用いて形成した構造形態２２ａである。
【００２７】
図７ａは、三つの構造形態２２ａを、連結部材固定ピン２１により連結した状態を示す。図７ｂは、図７ａで示した構造形態を用いたテント１ａを示す。
【００２８】
図８ａは、構造体１５のなす角度を１２０度とし、六つの構造体１５および六つの連結部固定ピン２１を用いて形成した構造形態２２ｂを示す。図８ｂは、図８ａで示した構造形態を用いてテント１ｂを示す。図８ａ、ｂにそれぞれ示した構造形態２２ｂおよびテント１ｂは、他の構造形態２２ｂおよびテント１ｂとの結合が可能である。
【００２９】
また、上述の実施形態は、本発明の好適な一例であるため、技術的に好ましい種々の限定が付されているが、本発明の範囲は、上述の説明によって不当に限定されるものではない。また、上述の実施形態で説明される構成の全てが本発明の必須の構成要件ではない。
【産業上の利用可能性】
【００３０】
本発明は、連結部材およびそれを用いたテントにおいて広く利用可能である。
【符号の説明】
【００３１】
１ａ  テント
１１  連結部材
１２  連結部材
１３  骨組み
１４  連結部材接続ピン
１５  構造体
２１  連結部材固定ピン
２２  １５および２１からなる構造形態
３１  ポール
３２  ポール連結具
【図１】
2020133368.tif 000003
【図２】
2020133368.tif 000004
【図３】
2020133368.tif 000005
【図４】
2020133368.tif 000006
【図５】
2020133368.tif 000007
【図６】
2020133368.tif 000008
【図７】
2020133368.tif 000009
【図８】
2020133368.tif 000010
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
複数の骨組みを連結してなるテントに用いる骨組みの連結部材であって、
骨組みを接合する骨組接合部と、
前記テントに用い、他の骨組みが接合された連結部材に接合させる第一の連結部材接合部と、
前記テントとは別のテントに用いる連結部材に接合させる第二の連結部材接合部と、
ピンを備え、
前記第一の連結部材接合部は、貫通孔で構成され、
前記第一の連結部材接合部の前記貫通孔と他の前記連結部材の前記第一の連結部材接合部の前記貫通孔とを合せ、前記ピンを挿入し固定することで、前記連結部材同士が連結され、
前記ピンは、地面にテントを設置するための設置部を有している、テントに用いる骨組みの連結部材。
【請求項２】
前記貫通孔の開口面は、円形または正多角形で構成される、請求項１に記載のテントに用いる骨組みの連結部材。
【請求項３】
請求項１または請求項２に記載のテントに用いる骨組みの連結部材を用いたテント。